(57)【要約】【課題】ＳＩＰに従った通信指令システムにおいて、一斉指令放送の開始要求があってから一斉指令放送が開始されるまでの起動時間を、従来に比べて短縮する。【解決手段】ＩＰ通信指令交換機１００は、指令卓１０からの一斉指令放送の開始要求前に予めＩＰ電話機２０との間にＳＩＰに従って論理チャネルＣＨ２を確立しておき、指令卓１０から一斉指令放送の開始要求を受けた場合、その論理チャネルＣＨ２を介して指令卓１０からの一斉指令放送に係る音声情報をＩＰ電話機２０出力する。【選択図】図１
2010177826.tif 000002
【特許請求の範囲】
【請求項１】
一斉指令放送送信側の指令卓と、当該一斉指令放送受信側のＩＰ電話機との間に接続されるＩＰ通信指令交換機であって、
前記指令卓からの一斉指令放送の開始要求に応じて、前記一斉指令放送の開始要求前に予め前記ＩＰ電話機との間においてＳＩＰに従って確立されている論理チャネルを介して前記指令卓と前記ＩＰ電話機が備える音声出力手段との間に片方向通信路を確立し、当該片方向通信路を介して前記指令卓からの一斉指令放送に係る音声情報をＳＩＰに従って前記音声出力手段に出力することを特徴とするＩＰ通信指令交換機。
【請求項２】
請求項１に記載のＩＰ通信指令交換機において、
片方向通信により前記指令卓からの一斉指令放送を受けている前記ＩＰ電話機からの前記指令卓との間の双方向通信の要求に応じて、前記ＩＰ電話機との間にＳＩＰに従って新たな論理チャネルを確立し、当該新たな論理チャネルを介して当該ＩＰ電話機が備える送受話手段との間に双方向通信路を確立し、当該双方向通信路を介して前記指令卓と前記送受話手段との間の双方向通信を実行することを特徴とするＩＰ通信指令交換機。
【請求項３】
請求項２に記載のＩＰ通信指令交換機において、
他のＩＰ電話機から前記ＩＰ電話機と前記指令卓との間の片方向通信或いは双方向通信をモニタするモニタ要求を受けたことに対応して、前記モニタ要求前に予め当該他のＩＰ電話機との間にＳＩＰに従って確立されている論理チャネルを介して当該他のＩＰ電話機が備える音声出力手段と片方向通信路を確立し、当該片方向通信路を介して前記ＩＰ電話機と前記指令卓との間の片方向通信或いは双方向通信による音声情報を前記他のＩＰ電話機の音声出力手段に出力することを特徴とするＩＰ通信指令交換機。
【請求項４】
一斉指令放送送信側の指令卓と、当該一斉指令放送受信側のＩＰ電話機との間に接続されるＩＰ通信指令交換機であって、
ネットワークを介して接続された前記指令卓との通信を制御する回線接続制御部と、
ＩＰネットワークを介して接続された前記ＩＰ電話機とのＳＩＰに従った通信を制御する第１ＳＩＰ接続制御部と、
前記指令卓或いは前記ＩＰ電話機からの音声情報をミキシングする第１会議トランクと、
前記指令卓からの音声情報をミキシングする第２会議トランクと、
前記回線制御部、前記第１ＳＩＰ接続制御部、前記第１会議トランク、及び前記第２会議トランク間の通話路の確立或いは切断を制御する通話路スイッチと、
前記第１ＳＩＰ接続制御部及び通話路スイッチを制御することで、前記第２会議トランクと前記第１ＳＩＰ接続制御部との間の通話路の確立と、前記第１ＳＩＰ接続制御部と前記ＩＰ電話機が備える音声出力手段との間の論理チャネルの確立を行うとともに、前記回線接続制御部を介して前記指令卓から一斉指令放送の開始要求を受けたことに対応して、前記通話路スイッチを制御して、前記回線接続制御部と前記第１会議トランクとの間の通話路の確立と、前記第１会議トランクと前記第２トランクとの通話路の確立とを行うことで、前記一斉指令放送の開始要求を受ける前に予め確立された前記論理チャネルを介して、前記指令卓と前記ＩＰ電話機が備える音声出力手段との間に片方向通信路を確立し、当該片方向通信路を介して前記指令卓からの一斉指令放送に係る音声情報を前記第１会議トランク及び前記第２会議トランクによりミキシングしてＳＩＰに従って前記音声出力手段に出力させる制御部と、
を備えるＩＰ通信指令交換機。
【請求項５】
請求項４に記載のＩＰ通信指令交換機において、
前記制御部は、片方向通信による前記指令卓からの一斉指令放送を受けている前記ＩＰ電話機からの前記指令卓との間の双方向通信の要求に対応して、前記第１ＳＩＰ接続制御部及び前記通話路スイッチを制御することで、前記ＩＰ電話機が備える送受話器と前記第１ＳＩＰ接続制御部との間にＳＩＰに従って新たな論理チャネルを確立し、前記第１会議トランクと前記第２トランクとの間の通話路を切断し、前記第１会議トランクと前記第１ＳＩＰ接続制御部との間の通話路を確立した後、前記新たな論理チャネルを介して前記ＩＰ電話機が備える送受話手段との間に双方向通信路を確立し、当該双方向通信路を介して前記指令卓と前記送受話手段との間の双方向通信を実行する、
ことを特徴とするＩＰ通信指令交換機。
【請求項６】
請求項５に記載のＩＰ通信指令交換機において、
ＩＰネットワークを介して接続された前記ＩＰ電話機とは異なる他のＩＰ電話機とのＳＩＰに従った通信を制御する第２ＳＩＰ接続制御部と、
前記指令卓からの音声情報をミキシングする第３会議トランクと、
を備え、
前記制御部は、前記第２ＳＩＰ接続制御部及び前記通話路スイッチを制御することで、前記第３会議トランクと前記第２ＳＩＰ接続制御部との間の通話路の確立と、前記第２ＩＰ接続制御部と前記他のＩＰ電話機との間の論理チャネルの確立を行うとともに、前記他のＩＰ電話機から前記ＩＰ電話機と前記指令卓との間の片方向通信或いは双方向通信をモニタするモニタ要求を受けたことに対応して、前記通話路スイッチを制御することで、前記第１会議トランクと前記第３トランクとの通話路の確立を行った後、前記モニタ要求前に予め当該他のＩＰ電話機との間にＳＩＰに従って確立された前記論理チャネルを介して当該他のＩＰ電話機が備える音声出力手段と片方向通信路を確立し、当該片方向通信路を介して前記ＩＰ電話機と前記指令卓との間の片方向通信或いは双方向通信による音声情報を前記他のＩＰ電話機の音声出力手段に出力する、
ことを特徴とするＩＰ通信指令交換機。
【発明の詳細な説明】
【技術分野】
【０００１】
本発明は、指令卓より指定された任意の指令電話子機に対して一斉指令放送を行う通信指令システムに関する。
【背景技術】
【０００２】
一斉指令放送とは、構内交換機に収容されている電話端末或いは一斉指令専用端末から、他の構内交換機に収容されている複数の電話端末の全て、或いはそれらの電話端末のうち、任意に指定されたいくつかの電話端末に対する片方向通信のことをいう。
【０００３】
特許文献１には、指令卓と複数の電話機とを接続する構内交換機が、指令卓と指令グループ毎に収容された電話機とが通話中状態になると、指令グループ毎に収容された電話機の各々に通話中状態であることを表示させる技術が開示されている。
【０００４】
特許文献２には、一斉指令放送中に、指令電話子機からの要求により指令卓との双方向通信を確立する技術が開示されている。
【０００５】
ところで、近年、インターネットの急速な普及に伴い、ＩＰネットワークを介してＳＩＰ（Ｓｅｓｓｉｏｎ  Ｉｎｉｔｉａｔｉｏｎ  Ｐｒｏｔｏｃｏｌ）に従った呼制御を行うＩＰ電話システムが注目されており、一斉指令放送を行う通信指令システムをＳＩＰに従ったシステムにおいて提供することへの関心も高まっている。
【０００６】
特許文献３には、一斉指令放送を行うシステムではないが、同一のグループライン（マルチライン）を収容する端末において、当該グループラインへの着呼に対していずれかの端末で応答、保留、保留解除、代理応答などを行うサービスをＳＩＰベースのＶｏＩＰシステムで提供するシステムについて開示されている。
【０００７】
図１９に特許文献３に開示されているグループラインへの着呼（一斉呼び出し）があった場合のＳＩＰ標準シーケンスに基づいた手順を示す。
【０００８】
図１９において、発信端末からのＩＮＶＩＴＥメッセージに応じて（Ｓ１）、ＳＩＰサーバ（交換機）は、指定された着信側の各端末Ａ，Ｂ，Ｃ（以下、「着信端末」と称す）にＩＮＶＩＴＥメッセージを送信し（Ｓ２）、着信端末Ａ，Ｂ，ＣからＳＩＰサーバに１００Ｔｒｙｉｎｇメッセージ、１８０Ｒｉｎｇｉｎｇメッセージの順に送信（Ｓ３，Ｓ４）することで、着信制御を行う。さらに、応答する着信端末Ａは、ＳＩＰサーバに２００ＯＫ（ＩＮＶＩＴＥ）メッセージを送信し（Ｓ５）、ＳＩＰサーバからＡＣＫ（ＩＮＶＩＴＥ）メッセージを受信することで、呼を確立する。一方、応答しない他の着信端末Ｂ，Ｃには、ＳＩＰサーバからＣＡＮＥＣＥＬメッセージが送信され（Ｓ６）、ＣＡＮＥＣＥＬメッセージを受信した着信端末Ｂ，Ｃは、２００ＯＫ（ＣＡＮＣＥＬ）メッセージ、４８７Ｒｅｑｕｅｓｔ  Ｔｅｒｍｉｎａｔｅｄメッセージの順に送信し（Ｓ７，Ｓ８）、その応答として着信端末Ｂ，Ｃは、ＳＩＰサーバからＡＣＫ（４８７Ｒｅｑｕｅｓｔ  Ｔｅｒｍｉｎａｔｅｄ）メッセージを受信することで、呼を開放する（Ｓ９）。
【０００９】
特許文献４には、ページング（一斉放送）やＭＯＨ（Ｍｕｓｉｃ  Ｏｎ  Ｈｏｌｄ：保留音）などの送信データをマルチキャストパケットとして送信するＶｏＩＰシステムについて開示されている。
【先行技術文献】
【特許文献】
【００１０】
【特許文献１】特開２００４−９６６８１号公報
【特許文献２】特開２００６−３３３３０７号公報
【特許文献３】特開２００８−４８１８０号公報
【特許文献４】特開２００５−６００４号公報
【発明の概要】
【発明が解決しようとする課題】
【００１１】
ところで、一斉指令放送を行う通信指令システムは、例えば、鉄道会社の各主要駅に対して指令を行う際に利用される。その指令は緊急を有する場合も多く、指令卓と指令電話子機との通信路（呼）を早急に確立し、一斉指令放送をできるだけ早く指令電話子機に内蔵されたスピーカ等から出力しなければならない場合が多い。
【００１２】
しかしながら、ＳＩＰ標準シーケンスに基づいて通信路を確立する場合、例えば図１９に示すようなメッセージのやりとりをしなければならず、ＩＰ交換機を介した指令卓と指令電話子機（ＩＰ電話機）との間でやりとりされるメッセージの数は比較的多くなってしまう。したがって、一斉指令放送の開始要求があってから一斉指令放送が開始されるまでの起動時間が、必ずしも通信指令システムにおいて要求される起動時間を満足するものではなかった。
【００１３】
特許文献３や特許文献４に開示されたようなＶｏＩＰシステムにおいても、一斉指令放送が開始されるまでの起動時間を短縮するための十分な対策が必ずしも採られているとは言えない。
【００１４】
本発明は、ＳＩＰに従った通信指令システムにおいて、一斉指令放送の開始要求があってから一斉指令放送が開始されるまでの起動時間を、従来に比べて短縮することを目的とする。
【課題を解決するための手段】
【００１５】
本発明に係るＩＰ通信指令交換機は、一斉指令放送送信側の指令卓と、当該一斉指令放送受信側のＩＰ電話機との間に接続されるＩＰ通信指令交換機であって、前記指令卓からの一斉指令放送の開始要求に応じて、前記一斉指令放送の開始要求前に予め前記ＩＰ電話機との間においてＳＩＰに従って確立されている論理チャネルを介して前記指令卓と前記ＩＰ電話機が備える音声出力手段との間に片方向通信路を確立し、当該片方向通信路を介して前記指令卓からの一斉指令放送に係る音声情報をＳＩＰに従って前記音声出力手段に出力することを特徴とする。
【００１６】
本発明に係るＩＰ通信指令交換機によれば、前記指令卓からの一斉指令放送の開始要求に応じて、前記一斉指令放送の開始要求前に予め前記ＩＰ電話機との間にＳＩＰに従って確立されている論理チャネルを介して前記指令卓と前記ＩＰ電話機が備える音声出力手段との間に片方向通信路が確立され、当該片方向通信路を介して前記指令卓からの一斉指令放送に係る音声情報がＳＩＰに従って前記音声出力手段に出力されるので、一斉指令放送の開始要求があってから一斉指令放送が開始されるまでの起動時間を、従来に比べて短縮することができる。
【００１７】
本発明に係るＩＰ通信指令交換機の一つの態様では、片方向通信により前記指令卓からの一斉指令放送を受けている前記ＩＰ電話機からの前記指令卓との間の双方向通信の要求に応じて、前記ＩＰ電話機との間にＳＩＰに従って新たな論理チャネルを確立し、当該新たな論理チャネルを介して当該ＩＰ電話機が備える送受話手段との間に双方向通信路を確立し、当該双方向通信路を介して前記指令卓と前記送受話手段との間の双方向通信を実行することを特徴とする。
【００１８】
本発明に係るＩＰ通信指令交換機の一つの態様によれば、前記ＩＰ電話機からの前記指令卓との間の双方向通信の要求に応じて、前記ＩＰ電話機との間にＳＩＰに従って新たな論理チャネルが確立され、当該新たな論理チャネルを介して当該ＩＰ電話機が備える送受話手段との間に双方向通信路が確立され、当該双方向通信路を介して前記指令卓と前記送受話手段との間の双方向通信が実行されるので、ＳＩＰに従った片方向通信による一斉指令放送とともに、ＳＩＰに従った双方向通信による双方向通話を実現することができる。
【００１９】
本発明に係るＩＰ通信指令交換機の一つの態様では、他のＩＰ電話機から前記ＩＰ電話機と前記指令卓との間の片方向通信或いは双方向通信をモニタするモニタ要求を受けたことに対応して、前記モニタ要求前に予め当該他のＩＰ電話機との間にＳＩＰに従って確立されている論理チャネルを介して当該他のＩＰ電話機が備える音声出力手段と片方向通信路を確立し、当該片方向通信路を介して前記ＩＰ電話機と前記指令卓との間の片方向通信或いは双方向通信による音声情報を前記他のＩＰ電話機の音声出力手段に出力することを特徴とする。
【００２０】
本発明に係るＩＰ通信指令交換機の一つの態様によれば、他のＩＰ電話機からモニタ要求を受けたことに対応して、前記モニタ要求前に予め当該他のＩＰ電話機との間にＳＩＰに従って確立されている論理チャネルを介して当該他のＩＰ電話機が備える音声出力手段と片方向通信路が確立され、当該片方向通信路を介して前記ＩＰ電話機と前記指令卓との間の片方向通信或いは双方向通信による音声情報が前記他のＩＰ電話機の音声出力手段に出力されるので、ＩＰ電話機と指令卓との間の片方向通信或いは双方向通信による音声情報を他のＩＰ電話機によってモニタすることができる。
【００２１】
本発明に係るＩＰ通信指令交換機は、一斉指令放送送信側の指令卓と、当該一斉指令放送受信側のＩＰ電話機との間に接続されるＩＰ通信指令交換機であって、ネットワークを介して接続された前記指令卓との通信を制御する回線接続制御部と、ＩＰネットワークを介して接続された前記ＩＰ電話機とのＳＩＰに従った通信を制御する第１ＳＩＰ接続制御部と、前記指令卓或いは前記ＩＰ電話機からの音声情報をミキシングする第１会議トランクと、前記指令卓からの音声情報をミキシングする第２会議トランクと、前記回線制御部、前記第１ＳＩＰ接続制御部、前記第１会議トランク、及び前記第２会議トランク間の通話路の確立或いは切断を制御する通話路スイッチと、前記第１ＳＩＰ接続制御部及び通話路スイッチを制御することで、前記第２会議トランクと前記第１ＳＩＰ接続制御部との間の通話路の確立と、前記第１ＳＩＰ接続制御部と前記ＩＰ電話機が備える音声出力手段との間の論理チャネルの確立を行うとともに、前記回線接続制御部を介して前記指令卓から一斉指令放送の開始要求を受けたことに対応して、前記通話路スイッチを制御して、前記回線接続制御部と前記第１会議トランクとの間の通話路の確立と、前記第１会議トランクと前記第２トランクとの通話路の確立とを行うことで、前記一斉指令放送の開始要求を受ける前に予め確立された前記論理チャネルを介して、前記指令卓と前記ＩＰ電話機が備える音声出力手段との間に片方向通信路を確立し、当該片方向通信路を介して前記指令卓からの一斉指令放送に係る音声情報を前記第１会議トランク及び前記第２会議トランクによりミキシングしてＳＩＰに従って前記音声出力手段に出力させる制御部と、を備えることを特徴とする。
【００２２】
本発明に係るＩＰ通信指令交換機によれば、指令卓から一斉指令放送の開始要求を受けたことに対応して、前記回線制御部と前記第１会議トランクとの間の通話路の確立と、前記第１会議トランクと前記第２トランクとの通話路の確立とが行われることで、前記一斉指令放送の開始要求を受ける前に予め確立された前記第１ＳＩＰ接続制御部と前記ＩＰ電話機が備える音声出力手段との間の論理チャネルを介して、前記指令卓と前記ＩＰ電話機が備える音声出力手段との間に片方向通信路が確立され、当該片方向通信路を介して前記指令卓からの一斉指令放送に係る音声情報が前記第１会議トランク及び前記第２会議トランクによりミキシングされＳＩＰに従って前記音声出力手段に出力されるので、一斉指令放送の開始要求があってから一斉指令放送が開始されるまでの起動時間を、従来に比べて短縮することができる。
【００２３】
本発明に係るＩＰ通信指令交換機の一つの態様では、前記制御部は、片方向通信による前記指令卓からの一斉指令放送を受けている前記ＩＰ電話機からの前記指令卓との間の双方向通信の要求に対応して、前記第１ＳＩＰ接続制御部及び前記通話路スイッチを制御することで、前記ＩＰ電話機が備える送受話器と前記第１ＳＩＰ接続制御部との間にＳＩＰに従って新たな論理チャネルを確立し、前記第１会議トランクと前記第２トランクとの間の通話路を切断し、前記第１会議トランクと前記第１ＳＩＰ接続制御部との間の通話路を確立した後、前記新たな論理チャネルを介して前記ＩＰ電話機が備える送受話手段との間に双方向通信路を確立し、当該双方向通信路を介して前記指令卓と前記送受話手段との間の双方向通信を実行する、ことを特徴とする。
【００２４】
本発明に係るＩＰ通信指令交換機によれば、前記ＩＰ電話機からの前記指令卓との間の双方向通信の要求に対応して、前記ＩＰ電話機が備える送受話器と前記第１ＳＩＰ接続制御部との間にＳＩＰに従って新たな論理チャネルが確立され、前記第１会議トランクと前記第２トランクとの間の通話路が切断され、前記第１会議トランクと前記第１ＳＩＰ接続制御部との間の通話路が確立され、前記新たな論理チャネルを介して前記ＩＰ電話機が備える送受話手段との間に双方向通信路が確立され、当該双方向通信路を介して前記指令卓と前記送受話手段との間の双方向通信が実行されるので、ＳＩＰに従った片方向通信による一斉指令放送とともに、ＳＩＰに従った双方向通信による双方向通話を実現することができる。
【００２５】
本発明に係るＩＰ通信指令交換機の一つの態様では、ＩＰネットワークを介して接続された前記ＩＰ電話機とは異なる他のＩＰ電話機とのＳＩＰに従った通信を制御する第２ＳＩＰ接続制御部と、前記指令卓からの音声情報をミキシングする第３会議トランクと、を備え、前記制御部は、前記第２ＳＩＰ接続制御部及び通話路スイッチを制御することで、前記第３会議トランクと前記第２ＳＩＰ接続制御部との間の通話路の確立と、前記第２ＩＰ接続制御部と前記他のＩＰ電話機との間の論理チャネルの確立を行うとともに、前記他のＩＰ電話機から前記ＩＰ電話機と前記指令卓との間の片方向通信或いは双方向通信をモニタするモニタ要求を受けたことに対応して、前記通話路スイッチを制御することで、前記第１会議トランクと前記第３トランクとの通話路の確立を行った後、前記モニタ要求前に予め当該他のＩＰ電話機との間にＳＩＰに従って確立された前記論理チャネルを介して当該他のＩＰ電話機が備える音声出力手段と片方向通信路を確立し、当該片方向通信路を介して前記ＩＰ電話機と前記指令卓との間の片方向通信或いは双方向通信による音声情報を前記他のＩＰ電話機の音声出力手段に出力する、ことを特徴する。
【００２６】
本発明に係るＩＰ通信指令交換機によれば、前記他のＩＰ電話機からモニタ要求を受けたことに対応して、前記第１会議トランクと前記第３トランクとの通話路が確立された後、前記モニタ要求前に予め当該他のＩＰ電話機との間にＳＩＰに従って確立された前記論理チャネルを介して当該他のＩＰ電話機が備える音声出力手段と片方向通信路が確立され、当該片方向通信路を介して前記ＩＰ電話機と前記指令卓との間の片方向通信或いは双方向通信による音声情報が前記他のＩＰ電話機の音声出力手段から出力されるので、ＩＰ電話機と指令卓との間の片方向通信或いは双方向通信による音声情報を他のＩＰ電話機によってモニタすることができる。
【発明の効果】
【００２７】
本発明によれば、指令卓からの一斉指令放送の開始要求に応じて、一斉指令放送の開始要求前に予めＩＰ電話機との間にＳＩＰに従って確立されている論理チャネルを介して指令卓とＩＰ電話機が備える音声出力手段との間に片方向通信路が確立され、当該片方向通信路を介して指令卓からの一斉指令放送に係る音声情報がＳＩＰに従って音声出力手段に出力されるので、一斉指令放送の開始要求があってから一斉指令放送が開始されるまでの起動時間を、従来に比べて短縮することができる。
【図面の簡単な説明】
【００２８】
【図１】本実施形態に係る通信指令システムの全体構成を示すブロック図である。
【図２】各回線接続制御ボードに割り当てられる各指令グループ番号が各回線接続制御ボードの収容位置と関連付けて登録される回線接続制御ボード管理テーブルの一例を示す図である。
【図３】内線番号ごとに各ＩＰ電話機の設定内容が示されるＩＰ電話管理テーブルの一例を示す図である。
【図４】指令グループ番号ごとに指令グループに属する内線番号が示される指令グループ管理テーブルの一例を示す図である。
【図５】本実施形態に係るＩＰ電話機の外観平面図である。
【図６】ＩＰ電話機の機能ブロックを示す図である。
【図７】ＩＰ電話機とＩＰ通信指令交換機との間のシーケンスの一例を示す図である。
【図８】通話路スイッチにおける通話路の状態の一例を示す図である。
【図９】ＩＰ電話機とＩＰ通信指令交換機との間のシーケンスの一例を示す図である。
【図１０】通話路スイッチにおける通話路の状態の一例を示す図である。
【図１１】ＩＰ電話機とＩＰ通信指令交換機との間のシーケンスの一例を示す図である。
【図１２】通話路スイッチにおける通話路の状態の一例を示す図である。
【図１３】ＩＰ電話機とＩＰ通信指令交換機との間のシーケンスの一例を示す図である。
【図１４】通話路スイッチにおける通話路の状態の一例を示す図である。
【図１５】ＩＰ電話機とＩＰ通信指令交換機との間のシーケンスの一例を示す図である。
【図１６】通話路スイッチにおける通話路の状態の一例を示す図である。
【図１７】ＩＰ電話機とＩＰ通信指令交換機との間のシーケンスの一例を示す図である。
【図１８】通話路スイッチのおける通話路の状態の一例を示す図である。
【図１９】従来のＳＩＰ標準シーケンスに基づいて呼を確立する際の端末とＳＩＰサーバとの間のシーケンスを示す図である。
【発明を実施するための形態】
【００２９】
本発明を実施するための形態（以下、「実施形態」と称す）について、以下図面を用いて説明する。
【００３０】
図１は、本実施形態に係る通信指令システムの全体構成を示すブロック図である。本実施形態に係る通信指令システムは、例えば鉄道会社の統合司令室から各主要駅への指令を行うシステム等に適用される。
【００３１】
本実施形態において、指令卓１０は、ＩＰ通信指令交換機１００を介してＩＰ電話機２０と片方向通話路を確立して、一斉指令放送を行うとともに、ＩＰ電話機２０からの要求に応じて双方向通話路を確立し、通話を行う。
【００３２】
また、本実施形態では、ＩＰ電話機２０とＩＰ通信指令交換機１００との間に一斉指令放送用音声情報や呼接続情報の通信路となる論理チャネルを予め確立し、その論理チャネルを常時接続しておき、指令卓１０からの一斉指令放送をその論理チャネルを介して行うことで迅速に行えるようにしている。
【００３３】
図１において、ＩＰ通信指令交換機１００は、鉄道会社の統合司令室等に設置され、アナログ或いはデジタル公衆網、アナログ或いはデジタル専用線網等の網１２−１〜１２−３（総称：網１２）を介して指令卓１０―１〜１０−３（総称：指令卓１０）を収容する。さらに、ＩＰ通信指令交換機１００は、ＩＰ網３０を介してＩＰ電話機２０−１〜２０−３（総称：ＩＰ電話機２０）を収容する。各ＩＰ電話機２０−１〜２０−３は、指令卓１０からの指令を受ける路線毎の各主要駅等に設置される。
【００３４】
ＩＰ通信指令交換機１００は、通話路スイッチ（ＴＳＷ）１１０と、中央制御装置１２０と、記憶装置１３０と、制御バス１４０と、ＳＩＰ電話機制御ボード（ＳＩＰＬ）２２−１〜２２−３（総称：ＳＩＰ電話機制御ボード２２）と、回線制御ボード（ＴＲＫ）１４−１〜１４−３（総称：回線接続制御ボード１４）と、通話音声ミキシング用会議トランク（ＭＥＴ）１６−１〜１６−３（総称：通話音声ミキシング用会議トランク１６）と、スピーカ音声ミキシング用会議トランク（ＣＦＴ）２４−１〜２４−３（総称：スピーカ音声ミキシング用会議トランク２４）とを備える。
【００３５】
中央制御装置１２０は、記憶装置１３０に記憶された各種プログラムを実行することで、制御バス１４０を介してＩＰ通信指令交換機１００全体を制御する。記憶装置１３０は、中央制御装置１２０と制御バス１４０を介して接続される。記憶装置１３０は、指令卓１０とＩＰ電話機２０との間の片方向通話路或いは双方向通話路の確立や切断、これら通話路を介した音声情報等の中継を制御するための交換制御プログラムなどを記憶する。さらに、記憶装置１３０は、交換制御プログラムに基づく制御を行う際に中央制御装置１２０によって参照される局データ等の制御データを記憶する。また、記憶装置１３０は、各種プログラムを実行する際に中央制御装置１２０によって利用されるデータを一時的に記憶する。
【００３６】
通話路スイッチ１１０は、中央制御装置１２０と制御バス１４０とを介して接続され、中央制御装置１２０の制御により、指令卓１０とＩＰ電話機２０との間の片方向通話路或いは双方向通話路の確立や切断等を行う。
【００３７】
ＳＩＰ電話機制御ボード２２は、ＳＩＰ接続制御手段として機能し、ＳＩＰに従ってＩＰ電話機２０との間のデータの送受信を制御するインタフェースである。各ＳＩＰ電話機制御ボード２２は、接続ケーブル３２−１〜３２−３（総称：接続ケーブル３２）を介してＩＰ網３０に接続される。なお、各ＩＰ電話機２０は接続ケーブル３４−１〜３４−３（総称：接続ケーブル３４）を介してＩＰ網３０に接続される。
【００３８】
また、ＳＩＰ電話機制御ボード２２は、マイクロコンピュータ（不図示）を内蔵し、マイクロコンピュータの制御に基づき、接続ケーブル３２，３４及びＩＰ網３０を介して、ＩＰ電話機２０との間にそれぞれ、通話用音声情報や呼接続情報の通信路となる論理チャネルＣＨ１−１〜ＣＨ１−３（総称：論理チャネルＣＨ１）と、一斉指令放送用音声情報や呼接続情報の通信路となる論理チャネルＣＨ２−１〜ＣＨ２−３（論理チャネルＣＨ２）とを確立する。
【００３９】
ＳＩＰ電話機制御ボード２２は、論理チャネルＣＨ１，ＣＨ２を介してＩＰ電話機２０から受信した、着呼に対する応答メッセージ、発呼要求メッセージや切断要求メッセージなどのＳＩＰ呼制御情報、ＩＰ電話機２０に設けられた各種ボタンの操作内容を示すボタン操作情報等を中央制御装置１２０に通知する。さらに、ＳＩＰ電話機制御ボード２２は、中央制御装置１２０から通知される、着呼通知メッセージ、切断通知メッセージなどのＳＩＰ呼制御情報、ＩＰ電話機２０に設けられた各種ボタンのランプ点灯や点滅、消灯などのボタンの制御内容を示すボタン制御情報等を論理チャネルＣＨ１，ＣＨ２を介してＩＰ電話機２０に送信し、ＩＰ電話機２０の呼接続や切断、ランプ動作制御等を行う。なお、本実施形態では、ＳＩＰ電話機制御ボード２２−１がＩＰ電話機２０−１を制御し、ＳＩＰ電話機制御ボード２２−２がＩＰ電話機２０−２を制御し、ＳＩＰ電話機制御ボード２２−３がＩＰ電話機２０−３を制御するものとして説明する。
【００４０】
回線接続制御ボード１４は、ＩＰ通信指令交換機１００を網１２に接続するためのインタフェースである。回線接続制御ボード１４は、不図示のマイクロコンピュータを内蔵し、マイクロコンピュータの制御に基づき、網１２を介して指令卓１０から受信した、一斉指令放送の開始を要求する発呼要求メッセージや切断要求メッセージなどの呼制御情報を中央制御装置１２０に通知する。さらに、回線接続制御ボード１４は、中央制御装置１２０から通知される、着呼通知メッセージ、切断通知メッセージなどの呼制御情報を網１２を介して指令卓１０に送信し、指令卓１０の呼接続や切断等の制御を行う。なお、本実施形態では、回線接続制御ボード１４−１が指令卓１０−１を制御し、回線接続制御ボード１４−２が指令卓１０−２を制御し、回線接続制御ボード１４−３が指令卓１０−３を制御するものとして説明する。
【００４１】
通話音声ミキシング用会議トランク１６は、回線接続制御ボード１４の制御に基づき、指令卓１０及びＩＰ電話機２０に接続され、指令卓１０或いはＩＰ電話機２０からの通話音声をミキシングし音声情報を出力する。
【００４２】
スピーカ音声ミキシング用会議トランク２４は、ＩＰ電話機２０に内蔵されたスピーカのスピーカ制御手段として機能し、指令卓１０から一斉指令放送の発呼要求メッセージが送信されたことに対応して、通話音声ミキシング用会議トランク１６と接続し、指令卓１０からの音声情報をスピーカ出力できるようにミキシングを行う。さらに、スピーカ音声ミキシング用会議トランク２４は、ＳＩＰ電話機制御ボード２２及び論理チャネルＣＨ２を介して、ＩＰ電話機２０に内蔵されるスピーカに接続され、そのスピーカを介して一斉指令放送用の音声情報を出力する。
【００４３】
続いて、図２、図３、図４を参照して、記憶装置１３０に記憶される制御データについて説明する。図２、図３、図４に示すテーブルは、それぞれ予め呼制御時の条件として記憶装置１３０に記憶されている局データの一部である。
【００４４】
図２は、各回線接続制御ボード１４に割り当てられる各指令グループ番号が各回線接続制御ボード１４の収容位置と関連付けて登録される回線接続制御ボード管理テーブルの一例を示す。
【００４５】
図３は、ＩＰ電話機２０に割り当てられた内線番号ごとに各ＩＰ電話機の設定内容が示されるＩＰ電話管理テーブルの一例を示す。図３において、ＩＰ電話管理テーブルは、論理チャネル数が示されるフィールド１０Ｆ、用途種別が示されるフィールド１２Ｆ、割り付けられたスピーカ音声ミキシング用会議トランクの収容位置が示されるフィールド１４Ｆ、ＩＰ電話機２０に設けられた後述の各ボタンに割り付けられたボタン種別が示されるフィールド１６Ｆを内線番号ごとに有する。
【００４６】
図４は、指令グループ番号ごとに指令グループに属する内線番号が示される指令グループ管理テーブルの一例を示す。指令グループ管理テーブルは、指令グループ番号ごとに、使用される通話音声ミキシング用会議トランクの収容位置が示されるフィールド２０Ｆ、着信対象となる内線番号が示されるフィールド２２Ｆを有する。
【００４７】
続いて、ＩＰ電話機２０の構成について説明する。
【００４８】
図５は、本実施形態に係るＩＰ電話機２０の外観平面図を示す。図５に示すように、ＩＰ電話機２０は、回線接続時に通話を行う送受話器１、発呼元の電話番号等を表示するディスプレイ２、着信時に呼び出し音（リングバックトーン）の拡声出力、一斉指令放送の音声情報の拡声出力を行う音声出力手段として機能するスピーカ３、属していない指令グループの一斉指令放送の内容をモニタする際に押下されるモニタボタン４と、一斉指令放送の着信に対して応答する際やモニタする指令グループを選択する際に押下される指令ボタン５−１〜５−４と、各指令ボタン５−１〜５−４に対応付けて設けられ、一斉指令放送の着信、通話中、モニタ中、空きなどの状態を表示するランプ６−１〜６−４とを備える。なお、本実施形態に係るＩＰ電話機２０は、操作者が、属していない指令グループの一斉指令放送の内容をモニタしたい場合、モニタボタン４を押下した後、モニタ対象の指令グループに対応するいずれかの指令ボタン５を押下することで所望の指令グループの一斉指令放送をモニタできるように構成されている。
【００４９】
図６は、ＩＰ電話機２０の機能ブロックを示す。図６に示すように、ＩＰ電話機２０は、電話機全体を制御するＣＰＵ２１０、各処理プログラムを記憶するＲＯＭ２１２、各処理プログラムの実行時に使用されるＲＡＭ２１４を備える。さらに、ＩＰ電話機２０は、ＩＰ通信指令交換機１００とＩＰ網３０とを介して接続され、ＩＰ通信指令交換機１００との間に論理チャネルＣＨ１，ＣＨ２を確立する通信インタフェース２３１と、送受話器１との通信インタフェースとなる送受話器インタフェース２３２と、スピーカ３とＣＰＵ２１０とのインタフェースとなるスピーカインタフェース２３３と、モニタボタン４や指令ボタン５等のＩＰ電話機２０が有する各種ボタンとＣＰＵ２１０とのインタフェースとなるボタンインタフェース２３４と、各ランプ６とＣＰＵ１０とのインタフェースとなるランプインタフェース２３５と、ディスプレイ２とＣＰＵ２１０とのインタフェースとなる表示インタフェース２３６と、を備える。加えて、ＩＰ電話機２０は、上記の各インタフェースとＣＰＵ２１０を接続するための入出力インタフェース２３０を備える。
【００５０】
このように構成されたＩＰ電話機２０において、ＣＰＵ２１０は、予め確立されている論理チャネルＣＨ２を介してＩＰ通信指令交換機１００から一斉指令放送の着信通知メッセージを通信インタフェース２３１を介して受信し、その着信通知メッセージの受信に対応して当該一斉指令放送の指令グループに対応する指令ボタン５のランプを点滅させる。また、ＣＰＵ２１０は、ランプの点滅処理と並行して、論理チャネルＣＨ２を介してＩＰ通信指令交換機１００から受信した一斉指令放送用の音声情報をスピーカ３から拡声出力する。
【００５１】
続いて、ＩＰ通信指令交換機１００とＩＰ電話機２０との間のシーケンスを基に、本実施形態に係る通信指令システムの動作手順について説明する。
【００５２】
図７は、ＩＰ電話機２０−１が新たに通信指令システムにログインする際のＩＰ通信指令交換機１００とＩＰ電話機２０−１との間のシーケンスを示す。ＩＰ電話機２０−１は、例えばＩＰ網３０に接続した際に下記のログイン処理を実行する。
【００５３】
本実施形態では、ログイン時にＩＰ電話機２０とＩＰ通信指令交換機１００との間に一斉指令放送用音声情報や呼接続情報の通話路となる論理チャネルＣＨ２を予め確立し、その論理チャネルＣＨ２を常時接続しておくことで、指令卓１０からの一斉指令放送が迅速に行えるようにしている。図７は、論理チャネルＣＨ２を確立する際のシーケンスを示す。
【００５４】
図７において、ＩＰ電話機２０−１（内線番号：２００）は、ＩＰ網３０に接続されると、ＩＰ通信指令交換機１００に対して、まず認証情報が付与されていないＲＥＧＩＳＴＥＲメッセージを送信する（Ｓ１００）。ＩＰ通信指令交換機１００は、ＳＩＰ電話機制御ボード（ＳＩＰＬ）２２−１においてＲＥＧＩＳＴＥＲメッセージを受信する。ＳＩＰ電話機制御ボード２２−１は、受信したＲＥＧＩＳＴＥＲメッセージが認証付きではないため、４０１  ＵｎａｕｔｈｏｒｉｚｅｄメッセージをＩＰ電話機２０−１に送信する（Ｓ１０２）。
【００５５】
ＩＰ電話機２０−１は、４０１  Ｕｎａｕｔｈｏｒｉｚｅｄメッセージを受けて、予めＲＯＭ２１２等に記憶されているユーザＩＤやパスワード等に基づいて認証情報を生成し、生成した認証情報を付与したＲＥＧＩＳＴＥＲ（認証付）メッセージを送信する（Ｓ１０４）。続いて、ＳＩＰ電話機制御ボード２２−１は、ＩＰ電話機２０−１に対して２００  ＯＫメッセージを送信するとともに（Ｓ１０６）、中央制御装置１２０に、ＩＰ電話機２０−１のログイン処理を要求するためのログイン処理要求メッセージを送信する。中央制御装置１２０は、ログイン処理要求メッセージに示される認証情報に基づいてＩＰ電話機２０−１の認証を行う。
【００５６】
認証に成功した場合、中央制御装置１２０は、ＩＰ電話機２０−１に対する初期設定情報として、図３に示すようなＩＰ電話管理テーブルからＩＰ電話機２０−１（内線番号：２００）に対応する設定内容を取得して、その設定内容とともに論理チャネルＣＨ２の接続要求メッセージをＳＩＰ電話機制御ボード２２−１に送信する（Ｓ１１０）。その接続要求メッセージを受けて、ＳＩＰ電話機制御ボード２２−１は、設定内容と論理チャネルＣＨ２の接続要求とを示すデータをヘッダ部にコーディングしたＮＯＴＩＦＹメッセージを生成し、そのＮＯＴＩＦＹメッセージを通常の呼制御に影響しない予め定められた呼番号を使用してＩＰ電話機２０−１に送信する（Ｓ１１２）。ＩＰ電話機２０−１は、ＮＯＴＩＦＹメッセージを受信したことに対応して、受信確認として２００  ＯＫメッセージをＳＩＰ電話機制御ボード２２−１に送信し（Ｓ１１４）、受信した設定内容に基づいて初期設定を行う。
【００５７】
さらに、ＩＰ電話機２０−１は、論理チャネルＣＨ２の接続要求をＩＮＶＩＴＥメッセージにより行う（Ｓ１１６）。ＩＮＶＩＴＥメッセージを受信したＳＩＰ電話機制御ボード２２−１は、ＩＰ電話機２０−１にリクエストを受信し処理中であることを示す１００  Ｔｒｙｉｎｇメッセージ、１８３  Ｐｒｏｇｒｅｓｓメッセージを送信するとともに（Ｓ１１８，Ｓ１２０）、中央制御装置１２０に対して論理チャネルＣＨ２の接続依頼を行う（Ｓ１２２）。中央制御装置１２０は、依頼を受けて、論理チャネルＣＨ２の接続要求をＳＩＰ電話機制御ボード２２−１に対して行う（Ｓ１２４）。ＳＩＰ電話機制御ボード２２−１はステップＳ１１６のＮＯＴＩＦＹメッセージに対するリクエストが成功したことを示す２００  ＯＫを送信し（Ｓ１２６）、ＩＰ電話機２０−１は、その応答としてＡＣＫメッセージを送信する（Ｓ１２８）。
【００５８】
以上の処理により、通話路スイッチ（ＴＳＷ）１１０を介してＳＩＰ電話機制御ボード２２−１と、ＩＰ電話機２０−１に対応するスピーカ音声ミキシング用会議トランク（ＣＦＴ）２４−１との間で通話路Ｇ０１が設定される。さらに、ＩＰ電話機２０−１とＳＩＰ電話機制御ボード２２−１との間で論理チャネルＣＨ２が確立される。
【００５９】
論理チャネルＣＨ２の確立処理は、ＩＰ網３０に接続される各ＩＰ電話機２０において実行される。図８は、各ＩＰ電話機２０とＩＰ通信指令交換機１００との間で論理チャネルＣＨ２が確立された際の通話路スイッチ１１０の通話路の状態を示す。
【００６０】
上記の通り、本実施形態では、一斉指令放送が行われる前に予め各ＩＰ電話機２０とＩＰ通信指令交換機１００との間で論理チャネルＣＨ２を確立しておくことで、一斉指令放送の音声情報が迅速に各ＩＰ電話機２０に送信されるようにする。
【００６１】
続いて、指令卓１０−１が一斉指令放送開始を要求する発呼をＩＰ通信指令交換機１００に対して行った場合の手順について図９及び図１０を参照して説明する。
【００６２】
図９は、指令卓１０−１から着呼時におけるＩＰ通信指令交換機１００とＩＰ電話機２０−１との間のシーケンスを示す。
【００６３】
また、図１０は、指令卓１０−１からの一斉指令放送の開始を要求する着呼があった際に、通話路スイッチ１１０において確立される通話路の状態を示す。
【００６４】
図９において、回線制御ボード（ＴＲＫ００１）１４−１は、指令卓１０−１から指令グループ００１への着信を検知すると、中央制御装置１２０に対して指令卓１０−１から指令グループ００１への着信があったことを通知する（Ｓ２００）。
【００６５】
中央制御装置１２０は、着信通知に対応して、回線接続制御ボード１４−１に応答確認メッセージを送信するとともに（Ｓ２０１）、通話路スイッチ１１０を制御して、回線制御ボード（ＴＲＫ００１）１４−１と通話音声ミキシング用会議トランク（ＭＥＴ００１）１６−１との間に通話路Ｇ０４を確立する。さらに、中央制御装置１２０は、図４に示すような指令グループ管理テーブルを参照して、指定された指令グループ００１に対する内線番号およびスピーカ音声ミキシング用会議トランクを検索する。ここでは、図４に示す指令グループ管理テーブルに基づいて、中央制御装置１２０は、内線番号２００，２０１、スピーカ音声ミキシング用会議トランク２４−１，２４−２を検索したものとする。
【００６６】
次いで、中央制御装置１２０は、通話路スイッチ１１０を制御して、通話音声ミキシング用会議トランク（ＭＥＴ００１）１６−１とスピーカ音声ミキシング用会議トランク（ＣＦＴ２００）２４−１との通話路Ｇ０５及び、通話音声ミキシング用会議トランク（ＭＥＴ００１）１６−１とスピーカ音声ミキシング用会議トランク（ＣＦＴ２０１）２４−２との通話路Ｇ０６を確立する。
【００６７】
図７に示したログイン処理により、すでにスピーカ音声ミキシング用会議トランク（ＣＦＴ２００）２４−１とＩＰ電話機２０−１との間、及びスピーカ音声ミキシング用会議トランク（ＣＦＴ２０１）２４−２とＩＰ電話機２０−１との間には、ＳＩＰ電話機制御ボード２２−１，２２−２を介して論理チャネルＣＨ２が形成されている。したがって、通話路Ｇ０４，通話路Ｇ０５，Ｇ０６の確立が完了することで指令卓１０−１とＩＰ電話機２０−１，２０−２との通話路は確立される。
【００６８】
したがって、通話路Ｇ０４，通話路Ｇ０５，Ｇ０６が確立された時点で指令卓１０−１は、ＩＰ通信指令交換機１００を介してＩＰ電話機２０−１，２０−２に対して一斉指令放送の音声情報を出力することができる。ＩＰ電話機２０−１，２０−２は、ＩＰ通信指令交換機１００から一斉指令放送の音声情報を論理チャネルＣＨ２を介して受信して、その音声情報を各スピーカ３により拡声出力する。
【００６９】
また、中央制御装置１２０は、通話路Ｇ０５，Ｇ０６の確立処理と並行してＩＰ電話機２０−１，２０−２に対してボタン着信により一斉指令放送があったことを通知するために、ボタン着信対象のボタン番号（ボタン２１）を示したボタン着信要求をＳＩＰ電話機制御ボード（ＳＩＰＬ）２２−１，２２−２に対して行う（Ｓ２０６）。ＳＩＰ電話機制御ボード２２−１，２２−２は、ボタン着信要求を受けて、ＮＯＴＩＦＹメッセージにより、ボタン２１へのボタン着信指示をＩＰ電話機２０−１，２０−２に送信する（Ｓ２０８）。ＩＰ電話機２０−１，２０−２は、ボタン着信指示を示すＮＯＴＩＦＹメッセージを受けると、ＳＩＰ電話機制御ボード２２−１，２２−２に対して応答確認として２００  ＯＫメッセージを送信するとともに（Ｓ２１０）、ＮＯＴＩＦＹメッセージに示されるボタン番号のボタンに対応するランプを点滅させる。
【００７０】
つまり、通話路Ｇ０５，Ｇ０６が確立された時点で（着呼側のＩＰ電話機２０のボタン等の操作なしに）、一斉指令放送が開始されるとともに、ボタン着信によりどの指令グループからの一斉放送であるかをユーザに知らせる。
【００７１】
以上のように、論理チャネルＣＨ２を常時確立しておくことで、指令卓１０からの一斉指令放送の着呼を受けた場合には、ＩＰ通信指令交換機１００は、通話路スイッチ１１０内部の通話路を確立するだけで（つまり、通話路スイッチ１１０内部のスイッチ制御を行うだけで）、ＩＰ電話機２０に一斉指令放送の音声情報の出力を開始することができる。通話路スイッチ１１０内部の通話路の確立は、ＩＰ網等のネットワークを介した通話路（論理チャネル）の確立に比べて、ネットワークの輻輳等の影響を受けずに迅速に行うことができる。よって、指令卓１０から着呼を受けた後に論理チャネルＣＨ２の形成を開始する場合に比べて、一斉指令放送の音声情報のＩＰ電話機２０への送信を迅速に開始することができる。
【００７２】
続いて、論理チャネルＣＨ２を介して片方向通信による一斉指令放送の音声情報がスピーカから出力されているＩＰ電話機２０から指令卓１０との双方向通信による通話が要求された場合の処理手順について図１１及び図１２を参照して説明する。
【００７３】
図１１は、ＩＰ電話機２０−１から一斉指令放送を行っている指令卓１０−１への通話要求を受けた場合のＩＰ通信指令交換機１００とＩＰ電話機２０−１との間のシーケンスを示す。
【００７４】
図１２は、一斉指令放送の受信中にＩＰ電話機２０−１から指令卓１０−１に対する通話要求が行われた際に通話路スイッチ１１０において確立される通話路の状態を示す。
【００７５】
図１１において、ＩＰ電話機２０−１，２０−２は、論理チャネルＣＨ２−１，ＣＨ２−２、ＩＰ通信指令交換機１００を介して指令グループ００１の指令卓１０−１との間で通話路が形成され、一斉指令放送の音声情報を受信中の状態である。
【００７６】
この状態で、ＩＰ電話機２０−１の指令グループ００１に対応する指令ボタンが押下されたことに対応して、ＩＰ電話機２０−１は、ＩＰ通信指令交換機１００のＳＩＰ電話機制御ボード２２−１に対してＩＮＶＩＴＥメッセージを利用して、指令卓１０−１への通話要求を行う（Ｓ３００）。ＩＮＶＩＴＥメッセージには、一斉指令放送中における通話要求であることを示す予め定められた特番（ボタン選択特番）と、押下された指令ボタンのボタン番号との組み合わせ番号が発呼先番号として示されている。
【００７７】
ＳＩＰ電話機制御ボード２２−１は、ＩＮＶＩＴＥメッセージを受けて、ＩＰ電話機２０−１に１００  Ｔｒｙｉｎｇメッセージ及び１８３  Ｐｒｏｇｒｅｓｓメッセージを送信するとともに（Ｓ３０２，Ｓ３０４）、中央制御装置１２０に対してＩＮＶＩＴＥメッセージに示された発呼先番号を通知する（Ｓ３０６）。
【００７８】
中央制御装置１２０は、発信先番号がボタン選択特番とボタン番号とから構成されていることを認識して、一斉指令放送時における通話要求であることを検知する。そして、中央制御装置１２０は、発呼元の電話機２０−１との間に論理チャネルＣＨ１を確立するようにＳＩＰ電話機制御ボード２２−１に要求するとともに（Ｓ３０８）、指令グループ００１に対応するボタン２１が使用中（通話中）となるようにランプの点灯制御を指示する（Ｓ３１０）。
【００７９】
ＳＩＰ電話機制御ボード２２−１は、論理チャネルＣＨ１の確立要求を受けて、ＳＩＰ電話機制御ボード２２−１とＩＰ電話機２０−１との間に論理チャネルＣＨ１−１を確立して、ＩＰ電話機２０−１に対して論理チャネルＣＨ１−１を介して２００  ＯＫメッセージを送信する（Ｓ３１２）。
【００８０】
中央制御装置１２０は、ボタン２１が使用中（通話中）となるようにランプの点灯を切り換える指示をＮＯＴＩＦＹメッセージによりＩＰ電話機２０−１に対して行う（Ｓ３１４）。ＩＰ電話機２０−１は、ＮＯＴＩＦＹメッセージを受けて、ボタン２１の点灯色を変更するなどしてボタン２１が使用中であることを表し、２００  ＯＫメッセージをＳＩＰ電話機制御ボード２２−１に送信する（Ｓ３１６）。
【００８１】
また、中央制御装置１２０は、一斉指令放送時における通話要求を受けて、通話音声ミキシング用会議トランク（ＭＥＴ００１）１６−１とスピーカ音声ミキシング用会議トランク（ＣＦＴ２００）２４−１との間の通話路Ｇ０５を切断し、ＩＰ電話機２０−１のスピーカの出力を停止し、通話音声ミキシング用会議トランク（ＭＥＴ００１）１６−１とＳＩＰ電話機制御ボード２２−１とを直接繋ぐ通話路Ｇ０７を確立し、通話路Ｇ０７及び論理チャネルＣＨ１−１を介して指令卓１０−１からの音声情報をＩＰ電話機２０−１の送受話器から出力する。
【００８２】
上記のように、論理チャネルＣＨ１および通話路Ｇ０７が確立されることで、ＩＰ通信指令交換機１００を介して指令卓１０−１とＩＰ電話機２０−１との間に双方向通信路が確立され、ＩＰ電話機２０−１による通話が実現できる。
【００８３】
続いて、指令卓１０と論理チャネルＣＨ１を介して双方向通信状態（通話状態）にあるＩＰ電話機２０、及び指令卓１０と論理チャネルＣＨ２を介して片方向通信状態にあるＩＰ電話機２０に対して、新たな指令卓１０からの一斉指令放送の着信があった場合の処理手順について図１３及び図１４を参照して説明する。
【００８４】
図１３は、指令卓１０−１と論理チャネルＣＨ１−１を介して双方向通信状態（通話状態）にあるＩＰ電話機２０−１、及び指令卓１０−１と論理チャネルＣＨ２−２を介して片方向通信状態にあるＩＰ電話機２０−２に対して、新たに指令卓１０−２からの一斉指令放送の着信があった場合のＩＰ通信指令交換機１００とＩＰ電話機２０−１，２０−２との間のシーケンスを示す。
【００８５】
図１４は、ＩＰ電話機２０−１が指令卓１０−１と双方向通信状態かつ指令卓１０−２と片方向通信状態で、ＩＰ電話機２０−２が指令卓１０−１及び指令卓１０−２と片方向通信状態である場合の通話路スイッチ１１０における通話路の状態を示す。
【００８６】
図１３において、回線制御ボード（ＴＲＫ００２）１４−２は、指令卓１０−２から指令グループ００２への着信を検知すると、中央制御装置１２０に対して指令卓１０−２から指令グループ００２への着信があったことを通知する（Ｓ４００）。
【００８７】
中央制御装置１２０は、着信通知に対応して、回線接続制御ボード１４−２に応答確認メッセージを送信するとともに（Ｓ４０１）、通話路スイッチ１１０を制御して、回線制御ボード（ＴＲＫ００２）１４−２と通話音声ミキシング用会議トランク（ＭＥＴ００２）１６−２との間に通話路（Ｇ０８）を確立する（Ｓ４０２）。さらに、中央制御装置１２０は、図４に示すような指令グループ管理テーブルを参照して、指令された指令グループ００２に対する内線番号およびスピーカ音声ミキシング用会議トランクを検索する。ここでは、図４に示す指令グループ管理テーブルに基づいて、中央制御装置１２０は、内線番号２００，２０１、スピーカ音声ミキシング用会議トランク２４−１，２４−２を検索したものとする。
【００８８】
次いで、中央制御装置１２０は、通話路スイッチ１１０を制御して、通話音声ミキシング用会議トランク（ＭＥＴ００２）１６−２とスピーカ音声ミキシング用会議トランク（ＣＦＴ２００）２４−１との通話路Ｇ０９及び、通話音声ミキシング用会議トランク（ＭＥＴ００２）１６−２とスピーカ音声ミキシング用会議トランク（ＣＦＴ２０１）２４−２との通話路Ｇ１０を確立する（Ｓ４０４）。
【００８９】
通話路Ｇ０８，通話路Ｇ０９，Ｇ１０が確立された時点で指令卓１０−２は、ＩＰ通信指令交換機１００を介してＩＰ電話機２０−１，２０−２に対して一斉指令放送の音声情報を出力することができる。ＩＰ電話機２０−１，２０−２は、ＩＰ通信指令交換機１００から一斉指令放送の音声情報を論理チャネルＣＨ２を介して受信して、その音声情報を各スピーカ３により拡声出力する。
【００９０】
また、中央制御装置１２０は、通話路Ｇ０９，Ｇ１０の確立処理と並行してＩＰ電話機２０−１，２０−２に対してボタン着信により指令グループ００２から一斉指令放送があったことを通知するために、ボタン着信対象のボタン番号（ボタン２２）を示したボタン着信要求をＳＩＰ電話機制御ボード（ＳＩＰＬ）２２−１，２２−２に対して行う（Ｓ４０６）。ＳＩＰ電話機制御ボード２２−１，２２−２は、ボタン着信要求を受けて、ＮＯＴＩＦＹメッセージにより、ボタン２２へのボタン着信指示をＩＰ電話機２０−１，２０−２に送信する（Ｓ４０８）。ＩＰ電話機２０−１，２０−２は、ボタン着信指示を示すＮＯＴＩＦＹメッセージを受けると、ＳＩＰ電話機制御ボード２２−１，２２−２に対して応答確認として２００  ＯＫメッセージを送信するとともに（Ｓ４１０）、ＮＯＴＩＦＹメッセージに示されるボタン番号のボタンに対応するランプを点滅させる。
【００９１】
なお、スピーカ音声ミキシング用会議トランク（ＣＦＴ２０１）２４−２には、通話音声ミキシング用会議トランク（ＭＥＴ００１）１６−１及び通話音声ミキシング用会議トランク（ＭＥＴ００２）１６−２との間で２つの通話路Ｇ０６，Ｇ１０が確立されている。従って、スピーカ音声ミキシング用会議トランク（ＣＦＴ２０１）２４−２は、指令卓１０−１及び指令卓１０−２からの音声情報を合成してミキシングし、論理チャネルＣＨ２−２を介してＩＰ電話機２０−２のスピーカに出力している。つまり、ＩＰ電話機２０−２のスピーカからは、指令卓１０−１及び指令卓１０−２からの一斉指令放送が同時に出力される。
【００９２】
一方、ＩＰ電話機２０−１では、通話音声ミキシング用会議トランク（ＭＥＴ００１）１６−１でミキシングされた指令卓１０−１からの音声情報が論理チャネルＣＨ１−１を介して送受話器から出力されるとともに、スピーカ音声ミキシング用会議トランク（ＣＦＴ２００）２４−１でミキシングされた指令卓１０−２からの音声情報が論理チャネルＣＨ２−１を介してスピーカから出力される。
【００９３】
続いて、複数の指令卓１０からの一斉指令放送が同時にスピーカから出力されている時に、ＩＰ電話機２０からいずれかの指令卓１０との双方向通信による通話が要求された場合の処理手順について図１５及び図１６を参照して説明する。
【００９４】
図１５は、ＩＰ電話機２０−１が指令卓１０−１と双方向通信状態かつ指令卓１０−２と片方向通信状態で、ＩＰ電話機２０−２が指令卓１０−１及び指令卓１０−２と片方向通信状態の時に、ＩＰ電話機２０−２から指令卓１０−２との双方向通信による通話が要求された場合のＩＰ通信指令交換機１００とＩＰ電話機２０−２との間のシーケンスを示す図である。
【００９５】
図１６は、ＩＰ電話機２０−１が指令卓１０−１と双方向通信状態かつ指令卓１０−２と片方向通信状態で、ＩＰ電話機２０−２が指令卓１０−１と片方向通信状態かつ指令卓１０−２と双方向通信状態の場合の通話路スイッチ１１０における通話路の状態を示す。
【００９６】
図１５において、ＩＰ電話機２０−２の指令グループ００２に対応するボタンが押下されたことに対応して、ＩＰ電話機２０−２は、ＩＰ通信指令交換機１００のＳＩＰ電話機制御ボード２２−２に対してＩＮＶＩＴＥメッセージを利用して、指令卓１０−２への通話要求を行う（Ｓ５００）。ＩＮＶＩＴＥメッセージには、ボタン選択特番と押下されたボタン番号との組み合わせ番号が発呼先番号として登録されている。
【００９７】
ＳＩＰ電話機制御ボード２２−２は、ＩＶＩＴＥメッセージを受けて、ＩＰ電話機２０−２に１００  Ｔｒｙｉｎｇメッセージ及び１８３  Ｐｒｏｇｒｅｓｓメッセージを送信するとともに（Ｓ５０２，Ｓ５０４）、中央制御装置１２０に対してＩＮＶＩＴＥメッセージに示された発呼先番号を通知する（Ｓ５０６）。
【００９８】
中央制御装置１２０は、発信先番号がボタン選択特番とボタン番号とから構成されていることを認識して、一斉指令放送時における通話要求であることを検知する。そして、中央制御装置１２０は、発呼元のＩＰ電話機２０−２との間に論理チャネルＣＨ１−２を確立するようにＳＩＰ電話機制御ボード２２−２に要求するとともに（Ｓ５０８）、指令グループ００２に対応するボタン２２が使用中（通話中）となるようにランプの点灯制御を指示する（Ｓ５１０）。
【００９９】
ＳＩＰ電話機制御ボード２２−２は、論理チャネルＣＨ１の確立要求を受けて、ＳＩＰ電話機制御ボード２２−２とＩＰ電話機２０−２との間に論理チャネルＣＨ１−２を確立して、ＩＰ電話機２０−２に対して論理チャネルＣＨ１を介して２００  ＯＫメッセージを送信する（Ｓ５１２）。
【０１００】
中央制御装置１２０は、ボタン２２が使用中（通話中）となるようにランプの点灯を切り換える指示をＮＯＴＩＦＹメッセージによりＩＰ電話機２０−２に対して行う（Ｓ５１４）。ＩＰ電話機２０−２は、ＮＯＴＩＦＹメッセージを受けて、ボタン２２の点灯色を変更するなどしてボタン２２が使用中であることを表し、２００  ＯＫメッセージをＳＩＰ電話機制御ボード２２−２に送信する（Ｓ５１６）。
【０１０１】
また、中央制御装置１２０は、一斉指令放送時における通話要求を受けて、通話音声ミキシング用会議トランク（ＭＥＴ００２）１６−２とスピーカ音声ミキシング用会議トランク（ＣＦＴ２０１）２４−２との間の通話路Ｇ１０を切断し、通話音声ミキシング用会議トランク（ＭＥＴ００２）１６−２とＳＩＰ電話機制御ボード２２−２とを直接繋ぐ通話路Ｇ１１を確立し、通話路Ｇ１１及び論理チャネルＣＨ１−２を介して指令卓１０−１からの音声情報をＩＰ電話機２０−２の送受話器から出力する。
【０１０２】
以上の手順により、複数の指令卓１０からの一斉指令放送が同時にスピーカから出力されているＩＰ電話機２０において、いずれかの指令卓１０との間で双方向通信が実現できる。
【０１０３】
続いて、指令卓１０といずれかのＩＰ電話機２０との間で双方向通信が行われている時に、他のＩＰ電話機２０から、当該双方向通信のモニタ要求が行われた際の手順についてについて図１７及び図１８を参照して説明する。なお、指令卓１０といずれかのＩＰ電話機２０との間で片方向通信が行われている時、又は一斉指令放送の放送が開始前の状態（指令呼出が行われている状態）において他のＩＰ電話機２０からモニタ要求が行われた場合にも下記の手順によりモニタを実現できる。
【０１０４】
図１７は、ＩＰ電話機２０−１が指令グループ００３の指令卓１０−３と論理チャネルＣＨ１−１を介して双方向通信状態で、ＩＰ電話機２０−３から指令グループ００３の一斉指令放送のモニタ要求があった場合のＩＰ通信指令交換機１００とＩＰ電話機２０−３との間のシーケンスを示す。
【０１０５】
図１８は、ＩＰ電話機２０−１が指令グループ００３の指令卓１０−３と論理チャネルＣＨ１−１を介して双方向通信状態で、ＩＰ電話機２０−３が指令グループ００３の一斉指令放送をモニタ状態の場合の通話路スイッチ１１０における通話路の状態を示す。
【０１０６】
図１７において、ＩＰ電話機２０−１が指令グループ００３の指令卓１０−３と論理チャネルＣＨ１−１を介して双方向通信状態において、ＩＰ電話機２０−３のモニタボタン４の押下に続けて、指令グループ００３に対応する指令ボタン（ボタン番号：２３）が押下されると、ＩＰ電話機２０−３は、指令ボタン（ボタン番号：２３）が押下されたことを論理チャネルＣＨ２−３を介してＮＯＴＩＦＹメッセージによりＩＰ通信指令交換機１００に通知する（Ｓ６００）。
【０１０７】
ＩＰ通信指令交換機１００のＳＩＰ電話機制御ボード（ＳＩＰＬ）２２−３は、ＮＯＴＩＦＹメッセージを受けて、ＩＰ電話機２０−３に対して論理チャネルＣＨ２−３を介して２００  ＯＫを返信するとともに（Ｓ６０２）、中央制御装置１２０に対してＩＰ電話機２０−３から指令ボタン（ボタン２３）が押下されたことを通知する。
【０１０８】
中央制御装置１２０は、指令ボタン（ボタン２３）の押下の通知を受けて、ＩＰ電話機２０−３が指令グループ００３のモニタを要求していることを検知して、モニタ要求可能であることをＳＩＰ電話機制御ボード（ＳＩＰＬ）２２−３に通知する（Ｓ６０６）。さらに、中央制御装置１２０は、通話路スイッチ１１０を制御して、通話音声ミキシング用会議トランク（ＭＥＴ００３）１６−３とスピーカ音声ミキシング用会議トランク（ＣＦＴ３００）２４−３との通話路Ｇ２４を確立し、指令グループ００３の一斉指令放送のモニタを可能にする。
【０１０９】
なお、ＳＩＰ電話機制御ボード（ＳＩＰＬ）２２−３は、中央制御装置１２０からモニタ要求可能であることの通知を受けて、その旨をＩＰ電話機２０−３にＮＯＴＩＦＹメッセージにより通知する（Ｓ６０８）。ＩＰ電話機２０−３は、ＮＯＴＩＦＹメッセージの応答として、２００  ＯＫメッセージをＳＩＰ電話機制御ボード（ＳＩＰＬ）２２−３を送信する（Ｓ６１０）。
【０１１０】
以上の処理により、指令卓１０といずれかのＩＰ電話機２０との間で双方向通信が行われている時に、他のＩＰ電話機２０がその双方向通信のモニタを実現することができる。
【産業上の利用可能性】
【０１１１】
本発明によれば、指令卓からの一斉指令放送の開始要求前に予めＩＰ通信指令交換機とＩＰ電話機との間にＳＩＰに従って論理チャネルが確立されており、その論理チャネルを介して指令卓からの一斉指令放送に係る音声情報がＩＰ電話機に出力されるので、一斉指令放送の開始要求があってから一斉指令放送が開始されるまでの起動時間を、従来に比べて短縮することができる。よって、本発明は、指令卓より指定された任意のＩＰ電話機に対して一斉指令放送を行う通信指令システム等に適用することができる。
【符号の説明】
【０１１２】
１０    指令卓
１２    網
１４    回線接続制御ボード
１６    通話音声ミキシング用会議トランク
２０    ＩＰ電話機
２２    ＳＩＰ電話機制御ボード
２４    スピーカ音声ミキシング用会議トランク
３０    ＩＰ網
３４    接続ケーブル
１００  ＩＰ通信指令交換機
１１０  通話路スイッチ
１２０  中央制御装置
１３０  記憶装置
１４０  制御バス
【図１】
2010177826.tif 000003
【図２】
2010177826.tif 000004
【図３】
2010177826.tif 000005
【図４】
2010177826.tif 000006
【図５】
2010177826.tif 000007
【図６】
2010177826.tif 000008
【図７】
2010177826.tif 000009
【図８】
2010177826.tif 000010
【図９】
2010177826.tif 000011
【図１０】
2010177826.tif 000012
【図１１】
2010177826.tif 000013
【図１２】
2010177826.tif 000014
【図１３】
2010177826.tif 000015
【図１４】
2010177826.tif 000016
【図１５】
2010177826.tif 000017
【図１６】
2010177826.tif 000018
【図１７】
2010177826.tif 000019
【図１８】
2010177826.tif 000020
【図１９】
2010177826.tif 000021